(57)【要約】【課題】簡易な操作により状況に応じた適切なデータを外部機器で取得することができる給湯器用リモコン、及びそれを備える給湯システムを提供する。【解決手段】給湯器用リモコンは、給湯器本体を遠隔操作するための複数の操作スイッチと、複数の操作スイッチが設けられた筺体とを有する給湯器用リモコンであって、ＮＦＣ端末装置と通信する機能を有する第１メモリと、ＮＦＣ端末装置と通信する機能を有する第２メモリと、第１メモリに対する第２メモリの位置を変更する位置変更機構と、給湯器用リモコンの通電中において、第２メモリの位置に応じて、第１メモリに対するＮＦＣ端末装置のアクセス可否を切り換える切換手段と、を備える。【選択図】図１
2016220170.tif 000002
【特許請求の範囲】
【請求項１】
給湯器本体を遠隔操作するための複数の操作スイッチと、前記複数の操作スイッチが設けられた筺体とを有する給湯器用リモコンであって、
ＮＦＣ端末装置と通信する機能を有する第１メモリと、
ＮＦＣ端末装置と通信する機能を有する第２メモリと、
前記第１メモリに対する前記第２メモリの位置を変更する位置変更機構と、
前記給湯器用リモコンの通電中において、前記第２メモリの位置に応じて、前記第１メモリに対するＮＦＣ端末装置のアクセス可否を切り換える切換手段と、を備えた、給湯器用リモコン。
【請求項２】
前記第１メモリは、前記給湯器用リモコンに通電されていないときは、ＮＦＣ端末装置と通信できないように構成され、
前記第２メモリは、前記給湯器用リモコンに通電されているか否かに関わらずＮＦＣ端末装置と通信できるように構成された、請求項１に記載の給湯器用リモコン。
【請求項３】
前記切換手段は、前記第２メモリの位置に応じて、前記第１メモリの電源オン状態と電源オフ状態とを切り換える、請求項２に記載の給湯器用リモコン。
【請求項４】
前記第１メモリは、前記第２メモリと通信する機能を有しており、
前記位置変更機構は、前記第２メモリの位置を、前記第１メモリと前記第２メモリとが通信可能な範囲の内側の第１位置と、前記第１メモリと前記第２メモリとが通信可能な範囲の外側の第２位置との間で変更するように構成されている、請求項１〜３のいずれか一項に記載の給湯器用リモコン。
【請求項５】
前記位置変更機構は、前記複数の操作スイッチの一部又は全部を覆う蓋体を含み、
前記筺体には前記第１メモリが設けられており、前記蓋体には前記第２メモリが設けられている、請求項１〜４のいずれか一項に記載の給湯器用リモコン。
【請求項６】
前記位置変更機構は、前記筐体の内部から外部へと突出可能に設けられた突出片を含み、
前記筺体には前記第１メモリが設けられており、前記突出片には前記第２メモリが設けられている、請求項１〜４のいずれか一項に記載の給湯器用リモコン。
【請求項７】
前記第１メモリが、ＮＦＣリーダライタであり、前記第２メモリが、ＮＦＣタグである、請求項１〜６のいずれか一項に記載の給湯器用リモコン。
【請求項８】
請求項１〜７のいずれか一項に記載の給湯器用リモコンと、
前記給湯器用リモコンにより遠隔操作される前記給湯機本体と、を備えた、給湯システム。
【発明の詳細な説明】
【技術分野】
【０００１】
本発明は、給湯器用リモートコントローラ（以下、「給湯器用リモコン」という）、例えば携帯端末等の外部機器と通信接続可能な給湯器用リモコン、及び、それを備える給湯システムに関する。
【背景技術】
【０００２】
従来、給湯器の機器として、例えば浴室や台所等の壁面に設置された、給湯器を遠隔操作するための給湯器用リモコンがある。近年、給湯器用リモコンとしては、給湯器用リモコンの制御部に携帯端末等の外部機器を通信接続させて、該外部機器で給湯器本体の制御部やリモコンの制御部が記憶している内部データを取得できるように構成されたものが知られている。
【０００３】
例えば、特許文献１には、赤外線通信部を有した給湯器用リモコンが開示されている。この給湯器用リモコンは、給湯器が加熱しない等の異常時に、例えばユーザやメンテナンス作業者等の所持する携帯電話に、給湯器用リモコンの赤外線通信部から給湯器の運転データを送ることができるように構成されている。携帯電話に送られた内部データは、例えば携帯電話網を経由してサーバに送られて故障原因の推測に利用されたり、例えばメンテナンス作業者によりセンターに持ち帰られて故障原因の解析に利用されたりする。
【先行技術文献】
【特許文献】
【０００４】
【特許文献１】特許第３９５０４２５号公報
【発明の概要】
【発明が解決しようとする課題】
【０００５】
ところで、給湯器用リモコンからの内部データの取得作業では、その状況に応じた適切な内部データが選択的に取得されることが望ましい。しかしながら、所望のデータを取得するために、給湯器用リモコンや外部機器でデータ選択のボタン操作等が必要になってしまうと、操作に不慣れなユーザにとって負担であり、また、誤ったデータを外部機器で取得してしまう可能性もある。
【０００６】
そこで、本発明は、状況に応じた適切なデータを簡易な操作により外部機器で取得することができる給湯器用リモコン、及びそれを備える給湯システムを提供することを目的とする。
【課題を解決するための手段】
【０００７】
上記の課題を解決するために、本発明に係る給湯器用リモコンは、給湯器本体を遠隔操作するための複数の操作スイッチと、前記複数の操作スイッチが設けられた筺体とを有する給湯器用リモコンであって、ＮＦＣ端末装置と通信する機能を有する第１メモリと、ＮＦＣ端末装置と通信する機能を有する第２メモリと、前記第１メモリに対する前記第２メモリの位置を変更する位置変更機構と、前記給湯器用リモコンの通電中において、前記第２メモリの位置に応じて、前記第１メモリに対するＮＦＣ端末装置のアクセス可否を切り換える切換手段と、を備える。
【０００８】
上記の構成によれば、位置変更機構により第１メモリ及び第２メモリのうち第１メモリにはアクセスできない状態にすることができる。これにより、データ選択のためのボタン操作なしで第２メモリのみにＮＦＣ端末装置がアクセスできる状態にすることができ、ＮＦＣ端末装置を給湯器用リモコンにかざすという簡易操作で、第１メモリの情報と誤ることなく確実に第２メモリの情報を取得することができる。また、状況に応じて、第２メモリの位置を変更して第１メモリをアクセス可能な状態に変更し、第１メモリの情報をＮＦＣ端末装置で取得することができる。
【０００９】
上記給湯器用リモコンにおいて、前記第１メモリは、前記給湯器用リモコンに通電されていないときは、ＮＦＣ端末装置と通信できないように構成され、前記第２メモリは、前記給湯器用リモコンに通電されているか否かに関わらずＮＦＣ端末装置と通信できるように構成されてもよい。この構成によれば、例えば給湯器用リモコン自体が故障するなどして給湯器用リモコンに通電されていないときであっても、ＮＦＣ端末装置との通信が可能である。
【００１０】
また、前記第１メモリが、前記給湯器用リモコンに通電されていないときは、ＮＦＣ端末装置と通信できないように構成されている場合には、前記切換手段は、前記第２メモリの位置に応じて、前記第１メモリの電源オン状態と電源オフ状態とを切り換えてもよい。この構成によれば、簡易な方法で第１メモリへのアクセス可否の切り換えを実現できる。
【００１１】
上記給湯器用リモコンにおいて、前記第１メモリは、第２メモリと通信する機能を有しており、前記位置変更機構は、前記第２メモリの位置を、前記第１メモリと前記第２メモリとが通信可能な範囲の内側の第１位置と、前記第１メモリと前記第２メモリとが通信可能な範囲の外側の第２位置との間で変更するように構成されてもよい。この構成によれば、第２メモリが第１位置にあるときは、第１メモリと第２メモリとが通信できる位置関係を確保することができる。また、第２メモリが第２位置にあるときは、第１位置にあるときよりも第１メモリと第２メモリとが離れており、第１メモリと第２メモリの情報のうち取得したい情報を有する方にＮＦＣ端末装置を近づけて、適切にデータを取得することができる。
【００１２】
上記給湯器用リモコンにおいて、前記位置変更機構は、前記複数の操作スイッチの一部又は全部を覆う蓋体を含み、前記筺体には前記第１メモリが設けられており、前記蓋体には前記第２メモリが設けられていてもよい。この構成によれば、第１メモリに対する第２メモリの位置の変更を簡易な構成で且つ簡易な操作により実現することができる。
【００１３】
上記給湯器用リモコンにおいて、前記位置変更機構は、前記筐体の内部から外部へと突出可能に設けられた突出片を含み、前記筺体には前記第１メモリが設けられており、前記突出片には前記第２メモリが設けられていてもよい。この構成によれば、第１メモリに対する第２メモリの位置の変更を簡易な構成で且つ簡易な操作により実現することができる。
【００１４】
例えば、前記第１メモリは、ＮＦＣリーダライタであり、前記第２メモリは、ＮＦＣタグである。
【００１５】
また、本発明に係る給湯システムは、上記した給湯器用リモコンのいずれかと、前記給湯器用リモコンにより遠隔操作される前記給湯機本体と、を備える。
【発明の効果】
【００１６】
本発明によれば、状況に応じた適切なデータを簡易な操作により外部機器で取得することができる給湯器用リモコン及びそれを備える給湯システムを提供することができる。
【図面の簡単な説明】
【００１７】
【図１】図１は、本発明の第１実施形態に係る給湯器用リモコンからデータを取得するデータ取得システムの概略構成図である。
【図２】図２は、本発明の第１実施形態に係る給湯器用リモコンのＮＦＣタグが第１位置にある状態を示す図であり、（Ａ）は給湯器用リモコンの概略正面図であり、（Ｂ）は給湯器用リモコンの概略左側面図である。
【図３】図３は、本発明の第１実施形態に係る給湯器用リモコンの蓋体が第２位置にある状態を示す図であり、（Ａ）は給湯器用リモコンの概略正面図であり、（Ｂ）は給湯器用リモコンの概略左側面図である。
【図４】図４は、図２の状態における給湯器用リモコンのＮＦＣタグにＮＦＣ端末装置を通信させる様子を示す図であり、（Ａ）は給湯器用リモコン及びＮＦＣ端末装置を正面から見た図であり、（Ｂ）は給湯器用リモコン及びＮＦＣ端末装置を左側面から見た図である。
【図５】図５は、図３の状態における給湯器用リモコンのＮＦＣリーダライタにＮＦＣ端末装置を通信させる様子を示す図であり、（Ａ）は給湯器用リモコン及びＮＦＣ端末装置を正面から見た図であり、（Ｂ）は給湯器用リモコン及びＮＦＣ端末装置を左側面から見た図である。
【図６】図６は、本発明の第２実施形態に係る給湯器用リモコンのＮＦＣタグが第１位置にある状態を示す図であり、（Ａ）は給湯器用リモコンの概略正面図であり、（Ｂ）は給湯器用リモコンの概略上面図であり、（Ｃ）は給湯器用リモコンの概略左側面図である。
【図７】図７は、本発明の第２実施形態に係る給湯器用リモコンのＮＦＣタグが第２位置にある状態を示す図であり、（Ａ）は給湯器用リモコンの概略正面図であり、（Ｂ）は給湯器用リモコンの概略上面図である。
【図８】図８は、図６の状態における給湯器用リモコンのＮＦＣタグにＮＦＣ端末装置を通信させる様子を示す図である。
【図９】図９は、図７の状態における給湯器用リモコンのＮＦＣリーダライタにＮＦＣ端末装置を通信させる様子を示す図である。
【発明を実施するための形態】
【００１８】
（第１実施形態）
以下、図面を参照しながら、本発明の第１実施形態に係る給湯器用リモコンについて説明する。図１は、第１実施形態に係る給湯器用リモコン１０からデータを取得するデータ取得システム１の概略構成図である。データ取得システム１は、給湯システム２を有しており、給湯システム２は、水を加熱して湯を所定箇所に供給する給湯器本体３と、該給湯器本体３を遠隔操作する給湯器用リモコン１０とにより構成されている。給湯器用リモコン１０は、給湯器本体３を遠隔操作するための操作部１２と、操作部１２で入力された指令や種々の情報を表示するための表示部１３を備えている。以下では、給湯器用リモコン１０の構成について詳細に説明し、その後に給湯器用リモコン１０からデータを取得する方法について説明する。
【００１９】
図２及び図３には、第１実施形態に係る給湯器用リモコン１０の外観が概略的に示されている。図２（Ａ）及び図３（Ａ）は、給湯器用リモコン１０の概略正面図であり、図２（Ｂ）及び図３（Ｂ）は、給湯器用リモコン１０の概略左側面図である。給湯器用リモコン１０は、例えば浴室や台所等の壁面Ｗに設置されている。本実施形態に係る給湯器用リモコン１０は、略直方体状の筐体１１と、筐体１１における壁面Ｗに当接していない方の主面部である筐体主面部１１ａの一部を覆う蓋体１４を有している。
【００２０】
筐体主面部１１ａのうち、蓋体１４に覆われない部分である主面部上部１１ｂには、ディスプレイパネル等で構成された表示部１３と、操作部１２を構成する複数の操作スイッチ１２ａ〜１２ｌの一部である主要スイッチ１２ａ〜１２ｅが配設されている。筐体主面部１１ａのうち、蓋体１４に覆われる部分である主面部下部１１ｃには、複数の操作スイッチ１２ａ〜１２ｌのうちの残りである付加的スイッチ１２ｆ〜１２ｌが配設される（図３（Ａ）参照）。なお、付加的スイッチ１２ｆ〜１２ｌは、主要スイッチ１２ａ〜１２ｅに比べて使用頻度が少ないスイッチである。
【００２１】
通常、給湯器用リモコン１０には、運転スイッチ（例えば符号１２ａ）が備えられている。運転スイッチ１２ａは、押圧操作されるごとに、「運転オン状態」と「運転オフ状態」とを切り換える。ここで、「運転オン状態」とは、図示しない給湯栓が開かれる等して、給湯路の単位時間当たりの通水量が所定量以上になる等、諸条件が揃ったときに、給湯加熱運転可能となる状態をいい、「運転オフ状態」とは、上記諸条件が揃ったとしても、給湯加熱運転しない状態をいう。
【００２２】
蓋体１４は、筐体１１の筐体主面部１１ａの下端に設けられたヒンジ部１５を介して、筐体１１に回動自在に取り付けられている。蓋体１４は、筐体１１に対して回動することにより、図２に示すような付加的スイッチ１２ｆ〜１２ｌを覆う閉状態と、図３に示すような付加的スイッチ１２ｆ〜１２ｌを操作可能な状態にする開状態との間を移行する。蓋体１４には、閉状態が保持されるように、筐体１１と係止する係止部１６が設けられている。なお、給湯器用リモコン１０では、通常、ユーザが付加的スイッチ１２ｆ〜１２ｌを操作するときなど特別な場合を除いて、蓋体１４は閉状態にある。
【００２３】
筐体１１には、ＮＦＣ（Near Field Communication）リーダライタ３１が設けられており、一方、蓋体１４には、ＮＦＣタグ３２が設けられている。
【００２４】
ＮＦＣリーダライタ３１は、筐体１１に内蔵されており、蓋体１４に覆われる主面部下部１１ｃと壁面Ｗとの間に配置されている。
【００２５】
ＮＦＣタグ３２は、図３（Ａ）に示すように、蓋体１４が閉状態にあるときに、ＮＦＣリーダライタ３１に近接するように配置されている。また、ＮＦＣタグ３２は、蓋体１４が有する２つの主面のうち、蓋体１４が閉状態にあるときに主面部下部１１ｃに対向する一方主面に取り付けられている。また、蓋体１４が有する２つの主面のうちの他方主面におけるＮＦＣタグ３２のちょうど裏側に相当する箇所には、ＮＦＣタグ３２の位置が分かるように印３３が付けられている。印３３は、後述するＮＦＣ端末装置６０をかざす位置を示す目印となる。
【００２６】
蓋体１４が開状態と閉状態との間で移行すると、それに応じて蓋体１４に取り付けられたＮＦＣタグ３２の位置も変更される。即ち、ＮＦＣタグ３２は、蓋体１４が図２に示すような閉状態にあるときは、ＮＦＣリーダライタ３１に近接する第１位置に位置付けられる。第１位置にあるＮＦＣタグ３２は、ＮＦＣリーダライタ３１とＮＦＣ通信可能な範囲内まで近接している。また、ＮＦＣタグ３２は、蓋体１４が図３に示すような開状態にあるときは、第１位置にあるときよりもＮＦＣリーダライタ３１との距離が離れた第２位置に位置付けられる。この実施形態では、第２位置にあるＮＦＣタグ３２は、ＮＦＣリーダライタ３１とＮＦＣ通信可能な範囲の外に位置している。但し、第２位置にあるＮＦＣタグ３２は、ＮＦＣリーダライタ３１とＮＦＣ通信可能な範囲の外に位置していなくてもよい。例えば、第２位置は、第２位置にあるＮＦＣタグ３２とＮＦＣリーダライタ３１のうちの一方にＮＦＣ端末装置６０を近づけて、確実に意図した（ＮＦＣ端末装置６０を近づけた）方とＮＦＣ端末装置６０とを通信接続できるような位置であればよい。この実施形態では、蓋体１４及びヒンジ部１５が、ＮＦＣリーダライタ３１に対するＮＦＣタグ３２の位置を変更する本発明の位置変更機構を構成する。
【００２７】
筐体１１には、ＮＦＣタグ３２が第１位置にあるか否かを検知する位置検知部１７が設けられており、位置検知部１７により検知された信号は、後述のリモコン制御部４０に送られる。位置検知部１７は、例えば蓋体１４の開閉状態を検出する周知の開閉検知スイッチである。
【００２８】
図１に戻って、ＮＦＣリーダライタ３１は、ＮＦＣ通信可能範囲内にまで近づけられたＮＦＣ端末装置６０とＰ２Ｐ通信するように構成されている。ＮＦＣリーダライタ３１は、Ｐ２Ｐ通信によりＮＦＣ端末装置６０と例えば３８４００ｂｐｓでデータの送受信を行う。
【００２９】
また、ＮＦＣリーダライタ３１は、ＮＦＣ通信可能範囲内にあるＮＦＣタグ３２とＮＦＣ通信する機能を有している。この実施形態では、ＮＦＣリーダライタ３１は、例えば給湯器本体３で故障等の異常が発生した時に、異常情報をＮＦＣタグ３２に書き込むように構成されている。
【００３０】
ＮＦＣリーダライタ３１は、給湯器本体３の運転情報やこれまでに発生した故障等に関する異常情報を記憶しておくメモリ機能を有している。ＮＦＣリーダライタ３１に記憶された情報の一部が、上述のように、ＮＦＣ端末装置６０に送られたり、ＮＦＣタグ３２に書き込まれたりする。
【００３１】
ＮＦＣリーダライタ３１は、給湯器用リモコン１０において電源が供給されることにより通信可能な状態となる。後述するが、ＮＦＣリーダライタ３１は、通電中の給湯器用リモコン１０から制御されて、「電源オン状態」と「電源オフ状態」とを切り換えられる。ここで、「電源オン状態」とは、通電されている状態をいい、「電源オフ状態」とは、通電されていない状態をいう。また、この実施形態のＮＦＣリーダライタ３１は、給湯器用リモコン１０に電源が供給されている状態のみ通信可能である。即ち、ＮＦＣリーダライタ３１は、給湯器用リモコン１０自体が故障するなどして、給湯器用リモコン１０が通電されていない状態となったときに、ＮＦＣ端末装置６０と通信できないように構成されている。
【００３２】
ＮＦＣタグ３２は、ＮＦＣ通信可能範囲内にまで近づけられたＮＦＣ端末装置６０と通信する機能を有する。ＮＦＣタグ３２は、給湯器用リモコン１０に電源が供給されているか否かに関わらず、アクセス可能である。即ち、給湯器用リモコン１０が故障して電源オフになってもＮＦＣタグ３２からＮＦＣ端末装置６０等を用いてデータを取得することが可能である。ＮＦＣタグ３２のメモリサイズは小さいため、ＮＦＣタグ３２には、例えば優先度の高い最近の異常情報のみが記憶される。
【００３３】
上記のように、給湯器用リモコン１０は、メモリ機能を有するＮＦＣリーダライタ（本発明の「第１メモリ」に相当）３１とＮＦＣタグ（本発明の「第２メモリ」に相当）３２という２つのメモリを有している。この実施形態では、これら２つのメモリは、ＮＦＣ端末装置６０でアクセスした際にＮＦＣ端末装置６０で取得されるデータが互いに異なるように構成されている。例えば、ＮＦＣ端末装置６０がＮＦＣリーダライタ３１に通信接続したときには、ＮＦＣ端末装置６０は給湯器本体３の運転情報など比較的容量が大きいデータを取得する。また、ＮＦＣ端末装置６０がＮＦＣタグ３２に通信接続したときには、ＮＦＣ端末装置６０は最近発生した故障などに関する優先度の高い比較的容量が小さいデータを取得する。なお、図１では、ＮＦＣ端末装置６０がＮＦＣリーダライタ３１とＮＦＣタグ３２の両方と通信するように示しているが、後述するように、実際のデータ取得作業ではこれらのいずれか一方と通信接続する。
【００３４】
図１には、給湯器用リモコン１０のリモコン制御部４０の機能ブロックが概略的に示されている。リモコン制御部４０は、各種の演算処理を実行するＣＰＵ等の演算部および各種のプログラムまたはデータを記憶するＲＯＭ、ＲＡＭ等の記憶部（いずれも図示せず）を有している。リモコン制御部４０は、給湯器制御部４１、表示制御部４２、アクセス可否切換部４３を備え、これら機能部は、上記ＣＰＵ等のハードウェア及び上記ＲＯＭ等に記憶されたソフトウェア等を組み合わせて構築されている。
【００３５】
給湯器制御部４１は、操作部１２での操作に応じた動作を行うよう給湯器本体３に指令を送ることにより、給湯器本体３を制御する。また、表示制御部４２は、操作部１２での操作に応じた情報が表示されるよう表示部１３を制御する。
【００３６】
アクセス可否切換部４３（本発明の「切換手段」に相当）は、位置検知部１７により送られた信号に基づいて、ＮＦＣタグ３２が第１位置にあるか否かを判断する。そして、アクセス可否切換部４３は、ＮＦＣタグ３２の位置に応じて、ＮＦＣリーダライタ３１に対するＮＦＣ端末装置６０のアクセス可否を切り換える。具体的には、アクセス可否切換部４３は、ＮＦＣリーダライタ３１への電源供給を制御して、ＮＦＣリーダライタ３１の電源オン状態と電源オフ状態とを切り換える。これにより、上述したように、ＮＦＣリーダライタ３１は、通信できる状態と通信できない状態の間で切り換えられる。
【００３７】
こうして、アクセス可否切換部４３は、ＮＦＣタグ３２が第１位置にあると判断したときは、ＮＦＣリーダライタ３１にＮＦＣ端末装置６０がアクセスできないように切り換え、ＮＦＣタグ３２が第２位置にあると判断したときは、ＮＦＣリーダライタ３１にＮＦＣ端末装置６０がアクセスできるように切り換える。
【００３８】
ＮＦＣタグ３２が第１位置にあるとき、原則として、ＮＦＣリーダライタ３１は電源が供給されず、通信できない状態にある。但し、給湯器本体３等に故障が発生するなどの異常が発生したときには、例外的にＮＦＣリーダライタ３１に電源が供給され、ＮＦＣリーダライタ３１は、発生した異常情報をＮＦＣタグ３２に書き込むように構成されている。ＮＦＣタグ３２への異常情報の書き込みが終了すると、ＮＦＣリーダライタ３１は、電源の供給が停止され、通信できない状態に戻る。
【００３９】
次に、図１及び図４を参照して、給湯器用リモコン１０のＮＦＣタグ３２からＮＦＣ端末装置６０でデータを取得する方法について説明する。図４は、給湯器用リモコン１０のＮＦＣタグ３２にＮＦＣ端末装置６０を通信させる様子を示す図である。なお、図１等に示すＮＦＣ端末装置６０は、例えばスマートフォンであり、ＮＦＣ通信部６１とＬＡＮ通信部６２を備える。また、ＮＦＣ端末装置６０には、ＮＦＣリーダライタ３１やＮＦＣタグ３２との通信を可能にする専用アプリがインストールされている。
【００４０】
給湯器用リモコン１０は、通常、蓋体１４が閉じた状態にある。ＮＦＣタグ３２からのデータの取得は、図４のようにＮＦＣ端末装置６０を印３３の前にかざすことにより行われる。蓋体１４が閉状態にある状態では、ＮＦＣタグ３２が第１位置にあるため、ＮＦＣリーダライタ３１にＮＦＣ端末装置６０がアクセスできない状態にある。このため、図４のようにＮＦＣ端末装置６０を印３３の前にかざしても、ＮＦＣ端末装置６０は、ＮＦＣリーダライタ３１にアクセスすることはなく、確実にＮＦＣタグ３２と通信し、ＮＦＣタグ３２からデータを取得することができる。
【００４１】
上記のＮＦＣタグ３２からのデータの取得作業は、一例に過ぎないが、例えば、給湯器本体３に故障が発生した場合に、ユーザにより行われる。ユーザによりＮＦＣ端末装置６０に取得された異常情報は、ネットワーク６３を経由して修理作業者のサーバ６４に事前に送られる（図１参照）。修理作業者に送られた情報は、故障原因を推測し、交換部品の準備や修理工程の確認などのために利用される。
【００４２】
次に、図１及び図５を参照して、給湯器用リモコン１０のＮＦＣリーダライタ３１からＮＦＣ端末装置６０でデータを取得する方法について説明する。図５は、給湯器用リモコン１０のＮＦＣリーダライタ３１にＮＦＣ端末装置６０を通信させる様子を示す図である。
【００４３】
ＮＦＣリーダライタ３１からデータを取得するには、ＮＦＣ端末装置６０を給湯器用リモコン１０にかざす前に、第２メモリの位置を変更する必要がある。まず、閉じた状態にある蓋体１４を開いた状態にして、ＮＦＣリーダライタ３１をＮＦＣ端末装置６０でアクセス可能な状態にする。その後、図５のように、ＮＦＣリーダライタ３１が内蔵された箇所にＮＦＣ端末装置６０をかざす。これにより、ＮＦＣ端末装置６０は、ＮＦＣリーダライタ３１と通信接続し、ＮＦＣリーダライタ３１から内部情報を取得することができる。また、蓋体１４を開いたことで、ＮＦＣリーダライタ３１とＮＦＣタグ３２との距離が離れる。このため、ＮＦＣ端末装置６０をＮＦＣタグ３２にアクセスしないようにＮＦＣリーダライタ３１に近づけて、確実にＮＦＣリーダライタ３１と通信接続することが可能になる。
【００４４】
ＮＦＣリーダライタ３１からのデータの取得作業は、一例に過ぎないが、例えば、修理作業者によって、故障原因解析などのためにＮＦＣ端末装置６０ごとデータをセンターに持ち帰る目的で行われる。
【００４５】
この実施形態では、蓋体１４が閉状態にあるときは、ＮＦＣリーダライタ３１にＮＦＣ端末装置６０がアクセスできない状態にする。このため、ＮＦＣタグ３２のみにＮＦＣ端末装置６０がアクセスできる状態にすることができる。これにより、ＮＦＣリーダライタ３１とＮＦＣタグ３２が近接した位置にあっても、ＮＦＣ端末装置６０を給湯器用リモコン１０にかざすという簡易操作で、ＮＦＣリーダライタ３１の情報と誤ることなく確実にＮＦＣタグ３２の情報を取得することができる。
【００４６】
また、蓋体１４を閉状態から開状態に移行することにより、ＮＦＣタグ３２を第１位置から第２位置に移動させて、ＮＦＣリーダライタ３１をアクセス可能な状態に変更し、ＮＦＣリーダライタ３１の情報をＮＦＣ端末装置６０で取得することができる。
【００４７】
このように、状況に応じた適切なデータを簡易な操作によりＮＦＣ端末装置６０で取得することができる。
【００４８】
また、ＮＦＣタグ３２が給湯器用リモコン１０に通電されているか否かに関わらずＮＦＣ端末装置６０と通信できるため、例えば給湯器用リモコン１０自体が故障するなどして給湯器用リモコン１０に通電されていないときであっても、給湯器用リモコン１０の内部データの取得が可能である。
【００４９】
また、この実施形態では、ＮＦＣタグ３２が第１位置にあるときは、ＮＦＣリーダライタ３１とＮＦＣタグ３２とが通信できる位置関係を確保することができる。また、ＮＦＣタグ３２が第２位置にあるときは、第１位置にあるときよりもＮＦＣリーダライタ３１とＮＦＣタグ３２とが離れており、ＮＦＣリーダライタ３１とＮＦＣタグ３２の情報のうち取得したい情報を有する方にＮＦＣ端末装置を近づけて、適切にデータを取得することができる。
【００５０】
また、この実施形態では、蓋体１４にＮＦＣタグ３２を設けることにより、筐体１１に設けたＮＦＣリーダライタ３１に対するＮＦＣタグ３２の位置の変更を、簡易な構成で且つ簡易な操作により実現することができる。
【００５１】
（第２実施形態）
次に、図６〜図９を参照して、本発明の第２実施形態に係る給湯器用リモコン７０を説明する。なお、本実施形態の給湯器用リモコン７０が第１実施形態の給湯器用リモコン１０とは、ＮＦＣリーダライタ３１に対するＮＦＣタグ３２の位置を変更する位置変更機構以外は同様の構成であるため、以下では主に位置変更機構について説明する。本実施形態において、第１実施形態と同一構成要素には同一符号を付し、重複した説明は省略する。
【００５２】
本実施形態の給湯器用リモコン７０は、筐体１１に対して位置の変更が可能な構成要素として、蓋体１４の代わりに、筐体１１の内部から外部へと突出可能に設けられた突出片７１を備える。図６は、突出片７１の全体が筐体１１内部に収容された状態（収容状態）を示しており、図７は、突出片７１の一部が筐体１１外部に突出した状態（突出状態）を示している。筐体１１の右側面には、突出片７１を挿入するための挿入穴７４が形成されている。図６（Ａ）及び図６（Ｂ）に破線で示したように、通常時、突出片７１は、その全体が挿入穴７４に収容された状態で配置されている。また、筐体１１の右側面には、イジェクトスイッチ７２が設けられており、突出片７１は、イジェクトスイッチ７２を押すことにより、突出片７１の一部が筐体１１の右側面から突出するように構成されている。
【００５３】
突出状態にある突出片７１の突出部分には、ＮＦＣタグ３２が設けられている。ＮＦＣタグ３２は、突出片７１が収容状態にあるときに第１位置に配置され、突出片７１が突出状態にあるときに第２位置に配置される。筐体１１には、ＮＦＣタグ３２が第１位置にあるか否かを検知する位置検知部７３が設けられている。
【００５４】
また、筐体１１内部に設けられたＮＦＣリーダライタ３１は、突出片７１が収容状態にあるときのＮＦＣタグ３２に近接するように配置されている（図６参照）。また、突出片７１が収容状態にあるときのＮＦＣタグ３２の位置が分かるように、筐体１１の筐体主面部１１ａにはＮＦＣ端末装置６０をかざす位置を示す印３３が付けられている。
【００５５】
図８は、給湯器用リモコン７０のＮＦＣタグ３２にＮＦＣ端末装置６０を通信させる様子を示す図である。この実施形態でも、ＮＦＣタグ３２が第１位置にあるときには、ＮＦＣリーダライタ３１にＮＦＣ端末装置６０がアクセスできない状態にある。このため、図８のようにＮＦＣ端末装置６０を印３３の前にかざしても、ＮＦＣ端末装置６０は、ＮＦＣリーダライタ３１にアクセスすることはなく、確実にＮＦＣタグ３２と通信し、ＮＦＣタグ３２から内部情報を取得することができる。
【００５６】
図９は、給湯器用リモコン７０のＮＦＣリーダライタ３１にＮＦＣ端末装置６０を通信させる様子を示す図である。この実施形態でも、ＮＦＣリーダライタ３１からのデータの取得のためには、まず、イジェクトスイッチ７２を押すことにより、ＮＦＣタグ３２の位置を第１位置から第２位置に移動させて、ＮＦＣリーダライタ３１をＮＦＣ端末装置６０でアクセス可能な状態にする。その後、図９のように、ＮＦＣリーダライタ３１が内蔵された箇所にＮＦＣ端末装置６０をかざす。これにより、ＮＦＣ端末装置６０は、ＮＦＣリーダライタ３１と通信接続し、ＮＦＣリーダライタ３１から内部情報を取得することができる。また、ＮＦＣリーダライタ３１とＮＦＣタグ３２との距離が離れたことにより、ＮＦＣ端末装置６０をＮＦＣタグ３２にアクセスしないようにＮＦＣリーダライタ３１に近づけて、確実にＮＦＣリーダライタ３１と通信接続することが可能になる。
【００５７】
本実施形態でも、第１実施形態と同様の効果を得ることができる。また、この実施形態でも、筐体１１に設けたＮＦＣリーダライタ３１に対するＮＦＣタグ３２の位置の変更を、簡易な構成で且つ簡易な操作により実現することができる。
【００５８】
（その他の実施形態）
上記実施形態は、全ての点で例示であって、制限的なものではないと考えられるべきである。本発明の範囲は、上述の説明ではなくて特許請求の範囲によって示され、特許請求の範囲と均等の意味及び範囲内でのすべての変更が含まれることが意図される。
【００５９】
本発明の位置変更機構は、上記実施形態で説明されたものに限定されるものではない。例えば、第１実施形態における位置変更機構は、ヒンジ部１５を含む構成であったが、これに限定されるものではなく、位置変更機構は、筐体１１に対して蓋体１４をスライドさせるスライド機構を含んでもよいし、筐体１１に対して取り外し可能な蓋体１４のみにより構成されてもよい。
【００６０】
上記実施形態では、ＮＦＣリーダライタ３１への電源供給を制御して、電源オン状態と電源オフ状態とを切り換えることにより、ＮＦＣリーダライタ３１へのアクセス可否を切り換えていたが、本発明の切換手段はこれに限定されない。例えば、ＮＦＣリーダライタ３１との通信を遮断する遮蔽部を筐体１１に設けて、遮蔽部を制御することによりＮＦＣリーダライタ３１へのＮＦＣ端末装置６０のアクセス可否を切り換えてもよい。
【符号の説明】
【００６１】
２  給湯システム
３  給湯器本体
１０，７０  給湯器用リモコン
１１  筺体
１２ａ〜１２ｌ  操作スイッチ
１４  蓋体
１５  ヒンジ部
３１  ＮＦＣリーダライタ（第１メモリ）
３２  ＮＦＣタグ（第２メモリ）
４３  アクセス可否切換部
６０  ＮＦＣ端末装置
７１  突出片
【図１】
2016220170.tif 000003
【図２】
2016220170.tif 000004
【図３】
2016220170.tif 000005
【図４】
2016220170.tif 000006
【図５】
2016220170.tif 000007
【図６】
2016220170.tif 000008
【図７】
2016220170.tif 000009
【図８】
2016220170.tif 000010
【図９】
2016220170.tif 000011